(57)【特許請求の範囲】
【請求項１】
光源部を有し、前記光源部が照射する方向に開口部を形成する２つの本体と、
２つの前記本体の間に空間部を隔てて２つの前記本体を隣接させるように連結させるフレームと、
前記本体同士が対向する側面のうち、少なくとも一方の前記側面の前記開口部側に、前記側面側より前記空間部方向へ突出するように設けられた枠と、
前記空間部に挿入され、前記枠に設置されるプレートと、
前記本体及び前記枠を連結し、前記プレートが前記空間部に挿通可能とするように、前記本体に対して前記枠を回動させる回動手段と、
前記プレートが前記開口部に対して略平行な状態で設置されるように、前記枠の回動を規制する規制手段と、
を備えている
ことを特徴とする照明器具。
【請求項２】
前記回動手段は、第１のヒンジ金具、第２のヒンジ金具、前記第１のヒンジ金具と前記第２のヒンジ金具とを連結する軸、及び前記第１のヒンジ金具と前記第２のヒンジ金具とを開放する方向に付勢するばねを有し、
前記規制手段は、前記第１のヒンジ金具の前記軸側の端部に立設された固定部であり、
前記固定部が前記第２のヒンジ金具と当接することで、前記枠の角度が前記本体の側面に対して所定角度に保持される
ことを特徴とする請求項１に記載の照明器具。
【請求項３】
前記規制手段は、前記枠の長手側の一辺に立設された規制片であり、
前記規制片が前記本体の内側面に干渉することで、前記枠の角度が前記本体の側面に対して所定角度に保持される
ことを特徴とする請求項１に記載の照明器具。
【請求項４】
前記所定角度は、直角である
ことを特徴とする請求項２又は３に記載の照明器具。
【請求項５】
前記枠は、長手側辺のうち前記側面側より前記空間部方向へ突出した一辺に円弧部を備え、前記円弧部と前記プレートが摺動することで前記プレートが前記空間部に挿入される
ことを特徴とする請求項１〜４のいずれか一項に記載の照明器具。
【発明の詳細な説明】
【技術分野】
【０００１】
本発明は、照明器具に関し、特に、そのプレートの取付け機構に関する。
【背景技術】
【０００２】
天井支持バーにて格子状に形成されたシステム天井に取り付けられる照明器具は、照明器具の内側両端に光源部が配置されている。そして、その両側の光源部の間には、平板状の設備プレートが配置されている（例えば、特許文献１参照）。
【０００３】
ここで、システム天井用照明器具への設備プレートの施工手順としては、照明器具本体部に干渉しないようにするため、まず設備プレートを傾けた状態にし、照明器具本体部間に挿入する。そして、照明器具本体部の内部で設備プレートを水平状態にした後、照明器具本体の枠部に載せて設備プレートを設置するものが提案されている（例えば、特許文献２参照）。
【先行技術文献】
【特許文献】
【０００４】
【特許文献１】特開２０１３−０６２１０７号公報（第６〜７頁）
【特許文献２】特開２０１３−１０９８５１号公報（請求項１）
【発明の概要】
【発明が解決しようとする課題】
【０００５】
しかしながら、設備プレートを傾けて照明器具本体部に挿入する際に、傾けた設備プレートの角度次第では、照明器具内部の部品に干渉してしまうという問題点があった。
【０００６】
また、照明器具内部の部品の配置の仕方によっては、設備プレートを挿入する手順等が制限され、施工者に設備プレートを挿入するテクニックが要求されるという問題点があった。
【０００７】
本発明は、上記のような問題点を解決するためになされたもので、設備プレートを傾けずに照明器具に設置させ、設備プレートが照明器具内部の部品に干渉しない照明器具を得ることを目的とする。また、施行者に設備プレートを設置するテクニックを要求しない照明器具を得ることを目的とする。
【課題を解決するための手段】
【０００８】
本発明に係る照明器具は、光源部を有し、前記光源部が照射する方向に開口部を形成する２つの本体と、２つの前記本体の間に空間部を隔てて２つの前記本体を隣接させるように連結させるフレームと、前記本体同士が対向する側面のうち、少なくとも一方の前記側面の前記開口部側に、前記側面側より前記空間部方向へ突出するように設けられた枠と、前記空間部に挿入され、前記枠に設置されるプレートと、前記本体及び前記枠を連結し、前記プレートが前記空間部に挿通可能とするように、前記本体に対して前記枠を回動させる回動手段と、前記プレートが前記開口部に対して略平行な状態で設置されるように、前記枠の回動を規制する規制手段と、を備えているものである。
【発明の効果】
【０００９】
本発明によれば、プレートを垂直方向にのみ移動させ照明器具に取り付けることで、プレートが、照明器具内部の部品に干渉しなくなる。また、施工者に取り付けテクニックを要求する必要がなくなり、作業効率を上昇させることができる。
【図面の簡単な説明】
【００１０】
【図１】本発明の実施の形態１に係る照明器具にプレートを設置した状態の斜視図である。
【図２】図１の照明器具からプレートを外した状態の斜視図である。
【図３】本発明の実施の形態１に係る照明器具の本体部分の斜視図である。
【図４】本発明の実施の形態１に係る枠の斜視図である。
【図５Ａ】本発明の実施の形態１に係るヒンジの斜視図（自由状態）である。
【図５Ｂ】本発明の実施の形態１に係るヒンジの斜視図（自由状態）である。
【図６Ａ】本発明の実施の形態１に係るヒンジの斜視図（施工状態）である。
【図６Ｂ】本発明の実施の形態１に係るヒンジの斜視図（施工状態）である。
【図７】本発明の実施の形態１に係るプレートの施工開始の状態図である。
【図８】図７のプレートの施工開始の状態の詳細図である。
【図９】本発明の実施の形態１に係るプレートの施工中の状態図である。
【図１０】図９のプレートの施工中の状態の詳細図である。
【図１１】本発明の実施の形態１に係るプレートの施工完了直後の状態図である。
【図１２】図１１のプレートの施工完了直後の状態の詳細図である。
【図１３】本発明の実施の形態１に係るプレートの施工状態図である。
【図１４】図１３のプレートの施工状態の詳細図である。
【図１５】本発明の実施の形態２に係る照明器具の本体部分の斜視図である。
【図１６】本発明の実施の形態２に係る枠の斜視図である。
【図１７Ａ】本発明の実施の形態２に係るヒンジの斜視図（自由状態）である。
【図１７Ｂ】本発明の実施の形態２に係るヒンジの斜視図（自由状態）である。
【図１８Ａ】本発明の実施の形態２に係るヒンジの斜視図（施工状態）である。
【図１８Ｂ】本発明の実施の形態２に係るヒンジの斜視図（施工状態）である。
【図１９】本発明の実施の形態２に係るプレートの施工状態図である。
【図２０】本発明の実施の形態２に係るプレートの施工状態の詳細断面図である。
【発明を実施するための形態】
【００１１】
実施の形態１．
本発明の実施の形態１では、格子状に形成された天井支持バーにおいて、システム天井に取り付けられるシステム天井用照明器具を例に説明をする。
【００１２】
［照明器具の構成］
図１は、本発明の実施の形態１に係る照明器具１００にプレート３００を設置した状態の斜視図である。図１に示されるように、照明器具１００は、金属製の本体１１０と、枠１１１と、光源部１１２と、ルーバ１１３と、フレーム１１４と、プレート３００とから構成されている。フレーム１１４は、２つの本体１１０の間に空間部を隔てて、２つの本体１１０を隣接させるように連結させる。プレート３００は、２つの本体１１０の間の空間部に設置される。光源部１１２は、本体１１０の内部に配置されている。本体１１０は、光源部１１２が照射する方向に開口部を形成しており、ルーバ１１３は、本体１１０に設置され、光源部１１２から出される光を制御する。
【００１３】
図２は、図１の照明器具１００からプレート３００を外した状態の斜視図である。図２に示されるように、プレート３００は、照明器具１００から着脱可能となっている。なお、プレート３００を照明器具１００から着脱する方法については後述する。また、左右に設けられた本体１１０同士が対向する側面の下端部の一辺（又は開口部）のうち少なくとも一方には、枠１１１が、側面側より空間部側へ突出するように設けられている。
【００１４】
図３は、本発明の実施の形態１に係る照明器具１００の本体１１０部分の斜視図である。図３に示されるように、枠１１１は、本体１１０とヒンジ２００（又は回動手段）を介してリベットによって連結されている。
【００１５】
図４は、本発明の実施の形態１に係る枠１１１の斜視図である。図４に示されるように、枠１１１は、本体１１０の長手方向の辺と略同じ長さになるように長尺状に形成されている。また、枠１１１の長手方向の一辺のうち、プレート３００と接触する方には、円弧状に加工された円弧部１２０が設けられている。これにより、後述するプレート３００を照明器具１００に取り付ける際に、枠１１１がプレート３００に引っ掛かることで生じる傷の発生を防いでいる（図８参照）。
【００１６】
図５Ａ及び図５Ｂは、本発明の実施の形態１に係るヒンジ２００の斜視図（自由状態）である。図５Ａ及び図５Ｂに示されるように、ヒンジ２００は、ヒンジ金具Ａ２１０と、ヒンジ金具Ｂ２１１と、ばね２１２と、舌部２１０１と、軸受け部Ａ３１０と、筒状部Ｂ３１１と、軸３１２とによって構成されている。
【００１７】
また、図５Ｂに示されるように、ヒンジ金具Ａ２１０は、中空円筒状の軸受け部Ａ３１０を端部に２つ有している。同様にヒンジ金具Ｂ２１１は、中空円筒状の筒状部３１１を端部に２つ有している。そして、ヒンジ２００は、軸受け部Ａ３１０及び筒状部３１１の中空部分に軸３１２を挿入することにより、軸３１２を中心軸として回動自在に一体となって構成されている。また、ばね２１２は、２つの軸受け部Ａ３１０の間に設けられ、軸３１２に巻かれている。
【００１８】
ヒンジ金具Ａ２１０及びヒンジ金具Ｂ２１１は、両者の角度が常に９０度以上になるように、ばね２１２により付勢された状態となっている。また、ヒンジ金具Ａ２１０は、軸受け部Ａ３１０及び軸３１２が設けられている方の端部に、舌部２１０１を２つ設けている。舌部２１０１は、金具Ａ２１０に対して直角に立設されている。ここで、ヒンジ金具Ａ２１０とヒンジ金具Ｂ２１１は、ばね２１２により付勢されるが、ヒンジ金具Ａ２１０とヒンジ金具Ｂ２１１との角度が直角になったとき、舌部２１０１とヒンジ金具Ｂ２１１とが干渉することにより、ヒンジ金具Ａ２１０とヒンジ金具Ｂ２１１との角度が直角に保持される。つまり、舌部２１０１は、ヒンジ２００が直角以上に開かないようにする規制手段として働く。
【００１９】
ここで、本実施の形態１において、ヒンジ２００の角度を直角と表現しているが、これはプレート３００を空間部で開口部と略平行な状態で保持できる角度（所定角度）であれば良く、枠部とプレートに嵌合できるような形状を設け９０度よりも大きくしても良く、９０度よりも小さくし、空間部に入り込むようにしても良い。このことは、後述する実施の形態２についても同様である。
【００２０】
図６Ａ及び図６Ｂは、本発明の実施の形態１に係るヒンジ２００の斜視図（施工状態）である。図６Ａ及び図６Ｂに示されるように、プレート３００を照明器具１００に取り付ける際には、ヒンジ２００が回動し、ヒンジ金具Ａ２１０とヒンジ金具Ｂ２１１が略平行な状態となる（図１０参照）。
【００２１】
なお、舌部２１０１は、本発明における「固定部」に相当する。また、ヒンジ金具Ａ２１０は、本発明における「第１のヒンジ金具」に相当する。また、ヒンジ金具Ｂ２１１は、本発明における「第２のヒンジ金具」に相当する。
【００２２】
［プレート３００の設置動作］
図７は、本発明の実施の形態１に係るプレート３００の施工開始の状態図である。図７に示されるように、プレート３００を照明器具１００に取り付ける際には、照明器具１００に対して、プレート３００を水平状態に保ったまま垂直方向に押し上げる。
【００２３】
図８は、図７のプレート３００の施工開始の状態の詳細図である。図８に示されるように、枠１１１は、ヒンジ金具Ａ２１０に固定されている。また、ヒンジ金具Ｂ２１１は、本体１１０の外側面に固定されている。そして、プレート３００を枠１１１に押し当てながら垂直方向に押し上げると、ヒンジ２００が枠１１１を伴って、軸３１２を中心軸として回動する。なお、本実施の形態１では、ヒンジ金具Ａ２１０が枠１１１に固定され、ヒンジ金具Ｂ２１１が本体１１０の外側面に固定されている例で説明するが、ヒンジ金具Ａ２１０を本体１１０の外側面に固定し、ヒンジ金具Ｂ２１１を枠１１１に固定しても良い。
【００２４】
ここで、上述したように、枠１１１がプレート３００と接触する方には、円弧部１２０が設けられている。この円弧部１２０によって、プレート３００を照明器具１００に取り付ける際、プレート３００と枠１１１とが接触しても、枠１１１がプレート３００に引っ掛かることがなくなり、プレート３００に傷などが発生することを防いでいる。
【００２５】
図９は、本発明の実施の形態１に係るプレート３００の施工中の状態図である。また、図１０は、図９のプレート３００の施工中の状態の詳細図である。図９に示されるように、図７の状態からさらにプレート３００が垂直方向に押し上げられると、図１０に示されるように、ヒンジ２００が枠１１１を伴ってさらに回動し、枠１１１と本体１１０の側面とが略平行な状態となる（図６Ａ及び図６Ｂ参照）。
【００２６】
図１１は、本発明の実施の形態１に係るプレート３００の施工完了直後の状態図である。また、図１２は、図１１のプレート３００の施工完了直後の状態の詳細図である。図１１及び図１２に示されるように、図９の状態からさらにプレート３００を垂直方向に押し上げると、プレート３００と枠１１１とが接触しなくなる。すると、枠１１１は、ヒンジ２００のばね２１２の力により元の状態に戻ろうとする。そして、ヒンジ金具Ａ２１０の舌部２１０１が、ヒンジ金具Ｂ２１１と干渉することで、ヒンジ金具Ａ２１０とヒンジ金具Ｂ２１１との角度が直角に保持される。
【００２７】
図１３は、本発明の実施の形態１に係るプレート３００の施工状態図である。また、図１４は、図１３のプレート３００の施工状態の詳細図である。図１３及び図１４に示されるように、図１１の状態からプレート３００を垂直に下降させると、プレート３００が、枠１１１の上部に引っ掛かった状態となる。このようにすることで、プレート３００が照明器具１００に設置されることとなる。
【００２８】
この際、枠１１１にプレート３００の荷重がかかることになるが、ヒンジ金具Ａ２１０とヒンジ金具Ｂ２１１との角度が直角となった時に、ヒンジ金具Ａ２１０が有する舌部２１０１がヒンジ金具Ｂ２１１と干渉することで、枠１１１が直角以上に開くことを抑制する。
【００２９】
なお、プレート３００を照明器具１００から取り外す際には、一度プレート３００を枠１１１に接触しなくなるまで持ち上げる。そして、左右どちらか一方の枠１１１を手で回動させ、プレート３００を傾けた状態で引き下げることで取り外すことができる。
【００３０】
以上のように、本実施の形態１によれば、照明器具１００が備えている枠１１１及びヒンジ２００が回動可能であることで、プレート３００を照明器具１００に取り付ける際に、プレート３００を垂直方向へ押し上げる動作のみで、照明器具１００に取り付けることができる。これにより、プレート３００を傾けずに照明器具１００に設置することが可能となり、プレート３００が照明器具１００内部の部品に干渉しなくなる。また、施行者の技術力によらず、プレート３００を照明器具１００に取り付けることができ、作業効率を向上させることができる。
【００３１】
なお、本実施の形態１では、対向する側面の両方に回動する枠を備えた形状に関して説明したが、一方が回動する枠で、他方が固定された枠であり、固定された枠にプレートの一辺を引っ掛けた後に、プレートの他辺を回動する枠に押し込むようなものでも良い。このことは、後述する実施の形態２についても同様である。
【００３２】
実施の形態２．
本実施の形態２の照明器具１００の基本的な構造は、実施の形態１と同様であるが、ヒンジ２００に舌部２１０１を設ける代わりに、枠１１１に垂直片１１１ａ（又は規制片）を設ける点で相違する。従って、実施の形態１と同じ部分については実施の形態１のものと同じ符号を用い、それらについての説明は省略する。
【００３３】
図１５は、本発明の実施の形態２に係る照明器具１００の本体１１０部分の斜視図である。図１５に示されるように、実施の形態１と同様に、本体１１０の側面の下端部の一辺には、枠１１１Ａがヒンジ２００ａを介してリベットによって連結されている。
【００３４】
図１６は、本発明の実施の形態２に係る枠１１１Ａの斜視図である。図１６に示されるように、枠１１１Ａは、本体１１０の長手方向の辺と略同じ長さになるように長尺状に形成されている。また、枠１１１Ａの長手方向の一辺のうち、プレート３００と接触する方には、円弧状に加工された円弧部１２０が設けられている。そして、枠１１１Ａの長手方向の他辺には、垂直片１１１ａが枠１１１Ａに対して直角に立設されている。
【００３５】
図１７Ａ及び図１７Ｂは、本発明の実施の形態２に係るヒンジ２００ａの斜視図（自由状態）である。図１７Ａ及び図１７Ｂに示されるように、ヒンジ２００ａは、ヒンジ金具Ａ２１０ａと、ヒンジ金具Ｂ２１１ａと、ばね２１２と軸受け部Ａ３１０と、筒状部３１１、軸３１２とによって構成されている。ヒンジ金具Ａ２１０ａ及びヒンジ金具Ｂ２１１ａは、両者の角度が常に９０度以上設けられるように、ばね２１２により付勢された状態となっている。
【００３６】
図１８Ａ及び図１８Ｂは、本発明の実施の形態２に係るヒンジ２００ａの斜視図（施工状態）である。図１８Ａ及び図１８Ｂに示されるように、プレート３００を照明器具１００に取り付ける際には、ヒンジ２００が回動し、ヒンジ金具Ａ２１０とヒンジ金具Ｂ２１１が略平行な状態となる。
【００３７】
図１９は、本発明の実施の形態２に係るプレート３００の施工状態図である。また、図２０は、本発明の実施の形態２に係るプレート３００の施工状態の詳細断面図である。図１９及び図２０に示されるように、ヒンジ金具Ａ２１１ａが枠１１１Ａに固定され、ヒンジ金具Ｂ２１０ａが本体１１０の外側面に固定されている。そして、プレート３００を照明器具１００に取り付ける際には、照明器具１００に対して、プレート３００を水平状態に保ったまま垂直方向に押し上げる。そして、プレート３００を垂直方向に押し上げることに伴い、ヒンジ金具Ａ２１１ａが枠１１１Ａを伴って軸３１２を中心軸として回動する。
【００３８】
なお、本実施の形態２では、枠１１１Ａがヒンジ金具Ａ２１１ａに固定され、ヒンジ金具Ｂ２１０ａが本体１１０の外側面に固定されている例で説明するが、ヒンジ金具Ａ２１１ａを本体１１０の外側面に固定し、枠１１１をヒンジ金具Ｂ２１０ａに固定しても良い。
【００３９】
さらにプレート３００を垂直方向に押し上げると、プレート３００と枠１１１Ａとが接触しなくなる。すると、枠１１１Ａは、ヒンジ２００ａのばね２１２の力により元の状態に戻ろうとする。
【００４０】
この時、ヒンジ２００ａのばね２１２の力により、ヒンジ金具Ａ２１０ａ及びヒンジ金具Ｂ２１１ａが９０度以上の角度に開こうとするが、枠１１１Ａの垂直片１１１ａが本体１１０の内側面に干渉することで、枠１１１Ａは本体１１０の側面と直角な状態に戻る。つまり、垂直片１１１ａは、ヒンジ２００が直角以上に開かないようにする規制手段として働く。
【００４１】
その後、プレート３００を垂直に下降させると、プレート３００が、枠１１１Ａの上部に引っ掛かった状態となる。このようにすることで、プレート３００が照明器具１００に設置されることとなる。
【００４２】
以上のように、本実施の形態２によれば、舌部２１０１を有さない一般的なヒンジ２００ａを使用した照明器具１００であっても、枠１１１Ａが垂直片１１１ａを備えることで、垂直片１１１ａが本体１１０の内側面に干渉する。その結果、枠１１１Ａが本体１１０の側面に対して、直角な状態を保つことができる。これにより、プレート３００を垂直方向に移動させることで、照明器具１００に取り付けることが可能となる。また、ヒンジ２００ａ等のような汎用部品を用いることで、製品価格の高騰を抑制することが可能となる。
【符号の説明】
【００４３】
１００  照明器具、１１０  本体、１１１  枠、１１１Ａ  枠、１１１ａ  垂直片、１１２  光源部、１１３  ルーバ、１１４  フレーム、１２０  円弧部、２００  ヒンジ、２００ａ  ヒンジ、２１０  ヒンジ金具Ａ、２１０ａ  ヒンジ金具Ａ、２１１  ヒンジ金具Ｂ、２１１ａ  ヒンジ金具Ｂ、２１２  ばね、３００  プレート、３１０  軸受け部Ａ、３１１  筒状部、３１２  軸、２１０１  舌部。
【図１】
0006358928.tif 000002
【図２】
0006358928.tif 000003
【図３】
0006358928.tif 000004
【図４】
0006358928.tif 000005
【図５Ａ】
0006358928.tif 000006
【図５Ｂ】
0006358928.tif 000007
【図６Ａ】
0006358928.tif 000008
【図６Ｂ】
0006358928.tif 000009
【図７】
0006358928.tif 000010
【図８】
0006358928.tif 000011
【図９】
0006358928.tif 000012
【図１０】
0006358928.tif 000013
【図１１】
0006358928.tif 000014
【図１２】
0006358928.tif 000015
【図１３】
0006358928.tif 000016
【図１４】
0006358928.tif 000017
【図１５】
0006358928.tif 000018
【図１６】
0006358928.tif 000019
【図１７Ａ】
0006358928.tif 000020
【図１７Ｂ】
0006358928.tif 000021
【図１８Ａ】
0006358928.tif 000022
【図１８Ｂ】
0006358928.tif 000023
【図１９】
0006358928.tif 000024
【図２０】
0006358928.tif 000025